(57)【特許請求の範囲】
【請求項１】
ソケットと、前記ソケットに挿入されるプラグと、前記ソケットに形成されるプラグ受入部と、前記プラグ受入部を貫通して形成される操作子収容孔と、前記操作子収容孔に収容される操作子と、前記ソケットへの前記プラグの挿入方向に対して前記操作子収容孔より後方で、前記プラグ受入部を貫通して形成される、施錠子収容孔と、前記施錠子収容孔に収容されされる施錠子と、前記プラグに形成され、前記プラグが前記ソケットに挿入されると、前記操作子または前記施錠子を押し出す押出部と、前記操作子または前記施錠子を収容するために、前記プラグの挿入方向に対して前記押出部より後方で、前記プラグに形成されるプラグ溝と、前記ソケットに取り付けられるスリーブと、前記スリーブを所定状態に付勢する付勢部材とから構成される継手において、
前記スリーブ内面に形成されるスリーブ突出部であって、前記操作子または前記施錠子が前記押出部により押されていない状態で、前記操作子または前記施錠子を前記押出部とは逆方向に押す、スリーブ突出部と、
前記スリーブ突出部に形成される操作子収容溝と、
前記スリーブ突出部から前記操作子収容溝までをなだらかに接続するように形成される操作子収容溝傾斜面と、
前記スリーブ突出部に形成される施錠子収容溝と、
前記スリーブ突出部に形成され、前記施錠子に当接する施錠面とを備えており、
前記プラグを前記ソケットに挿入すると、前記プラグの前記押出部により前記操作子が押し出され、前記操作子が前記操作子収容溝傾斜面を押すことにより前記スリーブが前記付勢部材の付勢力に抗して第１の回転方向に回転して、前記操作子収容溝に前記操作子が収容され、
前記スリーブが前記第１の回転方向に回転すると、前記プラグの前記押出部により前記施錠子が押し出されて、前記施錠子収容溝に前記施錠子が収容され、前記押出部による前記施錠子の押出が無くなると、前記施錠子が前記プラグ溝に収容された状態となり、前記スリーブ側で前記施錠面が前記状態で前記施錠子を保持して前記施錠子による前記スリーブの回転や移動を防止することによって、前記プラグを前記ソケットに固定することを特徴とする継手。
【請求項２】
請求項１に記載の継手において、
前記プラグを前記ソケットに挿入すると、前記操作子が前記スリーブを前記第１の回転方向に回転させ、次いで、前記施錠子が前記スリーブをさらに前記第１の回転方向に回転させることを特徴とする継手。
【請求項３】
請求項２に記載の継手において、
前記施錠子が前記施錠子収容溝の縁部を押すことにより、前記スリーブが前記付勢部材の付勢力に抗してさらに前記第１の回転方向に回転することを特徴とする継手。
【請求項４】
請求項１乃至３の何れか一項に記載の継手において、
前記操作子が前記操作子収容溝傾斜面を転動して、前記操作子が前記スリーブを前記第１の回転方向に回転させることを特徴とする継手。
【請求項５】
請求項１乃至４の何れか一項に記載の継手において、
前記プラグを前記ソケットに挿入すると、前記施錠子が前記押出部により前記施錠子収容溝に押し出された後、前記施錠子が前記プラグ溝に収容されることを特徴とする継手。
【請求項６】
請求項１乃至５の何れか一項に記載の継手において、
前記プラグを前記ソケットに固定する直前に、前記スリーブが前記第１の回転方向とは逆の第２の回転方向に回転することを特徴とする継手。
【請求項７】
ソケットと、前記ソケットに挿入されるプラグと、前記ソケットに形成されるプラグ受入部と、前記プラグ受入部を貫通して形成される操作子収容孔と、前記操作子収容孔に収容される操作子と、前記ソケットへの前記プラグの挿入方向に対して前記操作子収容孔より後方で、前記プラグ受入部を貫通して形成される、施錠子収容孔と、前記施錠子収容孔に収容されされる施錠子と、前記プラグに形成され、前記プラグが前記ソケットに挿入されると、前記操作子または前記施錠子を押し出す押出部と、前記操作子または前記施錠子を収容するために、前記プラグの挿入方向に対して前記押出部より後方で、前記プラグに形成されるプラグ溝と、前記ソケットに取り付けられるスリーブと、前記スリーブを所定状態に付勢する付勢部材とから構成される継手において、
前記スリーブ内面に形成されるスリーブ突出部であって、前記操作子または前記施錠子が前記押出部により押されていない状態で、前記操作子または前記施錠子を前記押出部とは逆方向に押す、スリーブ突出部と、
前記スリーブ突出部に形成される操作子収容溝と、
前記スリーブ突出部から前記操作子収容溝までをなだらかに接続するように形成される操作子収容溝傾斜面と、
前記スリーブ突出部に形成される施錠子収容溝と、
前記スリーブ突出部に形成され、前記施錠子に当接する施錠面とを備えており、
前記プラグを前記ソケットに挿入すると、前記プラグの前記押出部により前記操作子が押し出され、前記操作子が前記操作子収容溝傾斜面を押すことにより、前記スリーブが前記付勢部材の付勢力に抗して第１の回転方向に回転し、且つ前記操作子が前記操作子収容溝壁部を押すことにより、前記スリーブが前記付勢部材の付勢力に抗して第１の方向に移動して、前記操作子収容溝に前記操作子が収容され、
前記スリーブが前記第１の回転方向に回転しつつ前記第１の方向に移動すると、前記プラグの前記押出部により前記施錠子が押し出されて、前記施錠子収容溝に前記施錠子が収容され、、前記押出部による前記施錠子の押出が無くなると、前記施錠子が前記プラグ溝に収容された状態となり、前記スリーブ側で前記施錠面が前記状態で前記施錠子を保持して前記施錠子による前記スリーブの回転や移動を防止することによって、前記プラグを前記ソケットに固定することを特徴とする継手。
【請求項８】
請求項７に記載の継手において、
前記プラグを前記ソケットに挿入すると、前記操作子が前記スリーブを前記第１の回転方向に回転させつつ、前記操作子が前記スリーブを前記第１の方向に回転させ、次いで、前記施錠子が前記スリーブをさらに前記第１の回転方向に回転させつつ、前記施錠子が前記スリーブをさらに前記第１の方向に移動させる、ことを特徴とする継手。
【請求項９】
請求項８に記載の継手において、
前記施錠子が前記施錠子収容溝の縁部を押すことにより、前記スリーブが前記付勢部材の付勢力に抗してさらに前記第１の回転方向に回転しつつ、前記施錠子が前記施錠子収容溝壁部を押すことにより、前記スリーブが前記付勢部材の付勢力に抗してさらに前記第１の方向に移動することを特徴とする継手。
【請求項１０】
請求項７乃至９の何れか一項に記載の継手において、
前記操作子が前記操作子収容溝傾斜面を転動して、前記操作子が前記スリーブを前記第１の回転方向に回転させつつ、前記操作子が前記操作子収容溝壁部を押して、前記操作子が前記スリーブを前記第１の移動方向に移動させることを特徴とする継手。
【請求項１１】
請求項７乃至１０の何れか一項に記載の継手において、
前記プラグを前記ソケットにさらに挿入すると、前記施錠子が前記押出部により前記施錠子収容溝に押し出された後、前記施錠子が前記プラグ溝に収容された状態となることを特徴とする継手。
【請求項１２】
請求項７乃至１１の何れか一項に記載の継手において、
前記プラグを前記ソケットに固定する直前に、前記スリーブが前記第１の回転方向とは逆の第２の回転方向に回転し、且つ前記スリーブが前記第１の移動方向とは逆の第２の移動方向に移動することを特徴とする継手。
【請求項１３】
請求項１乃至１２の何れか一項に記載の継手において、
前記スリーブの回転角度を所定範囲に規制する回転規制手段を備えることを特徴とする継手。
【請求項１４】
請求項１乃至１３の何れか一項に記載の継手において、
前記プラグを前記ソケットに固定した状態で、前記スリーブを所定方向に平行移動することにより、前記固定した状態を解除することを特徴とする継手。
【請求項１５】
請求項１乃至１４の何れか一項に記載の継手において、
前記プラグを前記ソケットに固定した状態で、前記スリーブを前記第１の回転方向に回転させて、前記施錠子を前記施錠子収容溝に収容することにより、前記固定した状態を解除することを特徴とする継手。
【請求項１６】
ソケットと、前記ソケットに挿入されるプラグと、前記ソケットに形成されるプラグ受入部と、前記プラグ受入部を貫通して形成される操作子収容孔と、前記操作子収容孔に収容される操作子と、前記ソケットへの前記プラグの挿入方向に対して前記操作子収容孔より後方で、前記プラグ受入部を貫通して形成される、施錠子収容孔と、前記施錠子収容孔に収容されされる施錠子と、前記プラグに形成され、前記プラグが前記ソケットに挿入されると、前記操作子または前記施錠子を押し出す押出部と、前記操作子または前記施錠子を収容するために、前記プラグの挿入方向に対して前記押出部より後方で、前記プラグに形成されるプラグ溝と、前記ソケットに取り付けられるスリーブと、前記スリーブを所定状態に付勢する付勢部材とから構成される継手に用いるソケットおいて、
前記スリーブ内面に形成されるスリーブ突出部であって、前記操作子または前記施錠子が前記押出部により押されていない状態で、前記操作子または前記施錠子を前記押出部とは逆方向に押す、スリーブ突出部と、
前記スリーブ突出部に形成される操作子収容溝と、
前記スリーブ突出部から前記操作子収容溝までをなだらかに接続するように形成される操作子収容溝傾斜面と、
前記スリーブ突出部に形成される施錠子収容溝と、
前記スリーブ突出部に形成され、前記施錠子に当接する施錠面とを備えており、
前記プラグを前記ソケットに挿入すると、前記プラグの前記押出部により前記操作子が押し出され、前記操作子が前記操作子収容溝傾斜面を押すことにより前記スリーブが前記付勢部材の付勢力に抗して第１の回転方向に回転して、前記操作子収容溝に前記操作子が収容され、
前記スリーブが前記第１の回転方向に回転すると、前記プラグの前記押出部により前記施錠子が押し出されて、前記施錠子収容溝に前記施錠子が収容され、前記押出部による前記施錠子の押出が無くなると、前記施錠子が前記プラグ溝に収容された状態となり、前記スリーブ側で前記施錠面が前記状態で前記施錠子を保持して前記施錠子による前記スリーブの回転や移動を防止することによって、前記プラグを前記ソケットに固定することを特徴とするソケット。
【請求項１７】
ソケットと、前記ソケットに挿入されるプラグと、前記ソケットに形成されるプラグ受入部と、前記プラグ受入部を貫通して形成される操作子収容孔と、前記操作子収容孔に収容される操作子と、前記ソケットへの前記プラグの挿入方向に対して前記操作子収容孔より後方で、前記プラグ受入部を貫通して形成される、施錠子収容孔と、前記施錠子収容孔に収容されされる施錠子と、前記プラグに形成され、前記プラグが前記ソケットに挿入されると、前記操作子または前記施錠子を押し出す押出部と、前記操作子または前記施錠子を収容するために、前記プラグの挿入方向に対して前記押出部より後方で、前記プラグに形成されるプラグ溝と、前記ソケットに取り付けられるスリーブと、前記スリーブを所定状態に付勢する付勢部材とから構成される継手に用いるソケットおいて、
前記スリーブ内面に形成されるスリーブ突出部であって、前記操作子または前記施錠子が前記押出部により押されていない状態で、前記操作子または前記施錠子を前記押出部とは逆方向に押す、スリーブ突出部と、
前記スリーブ突出部に形成される操作子収容溝と、
前記スリーブ突出部から前記操作子収容溝までをなだらかに接続するように形成される操作子収容溝傾斜面と、
前記スリーブ突出部に形成される施錠子収容溝と、
前記スリーブ突出部に形成され、前記施錠子に当接する施錠面とを備えており、
前記プラグを前記ソケットに挿入すると、前記プラグの前記押出部により前記操作子が押し出され、前記操作子が前記操作子収容溝傾斜面を押すことにより、前記スリーブが前記付勢部材の付勢力に抗して第１の回転方向に回転し、且つ前記操作子が前記操作子収容溝壁部を押すことにより、前記スリーブが前記付勢部材の付勢力に抗して第１の方向に移動して、前記操作子収容溝に前記操作子が収容され、
前記スリーブが前記第１の回転方向に回転しつつ前記第１の方向に移動すると、前記プラグの前記押出部により前記施錠子が押し出されて、前記施錠子収容溝に前記施錠子が収容され、、前記押出部による前記施錠子の押出が無くなると、前記施錠子が前記プラグ溝に収容された状態となり、前記スリーブ側で前記施錠面が前記状態で前記施錠子を保持して前記施錠子による前記スリーブの回転や移動を防止することによって、前記プラグを前記ソケットに固定することを特徴とするソケット。
【発明の詳細な説明】
【技術分野】
【０００１】
本発明はソケット及びプラグから構成される継手に関し、特に、プラグをソケットに挿入するだけで両者の連結ができる、いわゆるワンタッチ連結式の管継手、及びこのような継手に用いられるソケットに関する。
【背景技術】
【０００２】
従来のワンタッチ連結式の管継手としては、本出願人によって特許文献１の管継手が提案されている。
【０００３】
特許文献１の管継手は、ソケットと、ソケットに挿入されるプラグと、ソケットに取り付けられたスリーブとから構成されている。
【０００４】
この管継手において、ソケットに形成されプラグを受け入れるソケット本体は、施錠子（後ボール）を受け入れた第１貫通孔（後ボール収容孔）及びスリーブ操作子（前ボール）を受け入れた第２貫通孔（前ボール収容孔）を有する。ソケット本体に挿入されるプラグの傾斜面がスリーブ操作子を半径方向外側へ押圧し、スリーブの傾斜面を押圧し、該スリーブを軸線方向に変位し、スリーブ操作子（前ボール）の半径方向外側への変位を許容する。プラグが更に挿入されて該プラグが上記施錠子（後ボール）に係合して半径方向外側に動かすときに、スリーブの傾斜面が、該施錠子によって係合され、スリーブを更に上記軸線方向で動かす。このように施錠子及びスリーブ操作子が共に半径方向外側に動かされて、最終的には、上記プラグの円筒状外表面に設けられた施錠凹部に嵌合されて当該管継手のロック（連結）が完成する。
【特許文献１】特開２００５−９０６６９号公報
【発明の開示】
【発明が解決しようとする課題】
【０００５】
上記従来の管継手は、このように、ワンタッチでソケットとプラグとのロックを行い、スリーブの軸線方向への移動により、ロックを解除行っていたが、既存のプラグの形状に合わせて、前ボールと後ボールとの距離を決定せざるを得ず、スリーブのわずかな後退ストロークでロックを解除できるという利便性があるものの、操作ミスによって、スリーブをわずかに後退させてしまうだけで、ロックが解除されてしまうという問題点があった。
【０００６】
また、プラグとソケットとの分離操作において、プラグが分離するまでのスリーブの軸線方向のストロークが、前ボールと後ボールとの配置により制限されるため、任意にスリーブのストロークを設定できないという問題があった。
【０００７】
本発明は、ワンタッチでロックされる継手において、分離操作時にプラグが分離するまでのスリーブのストロークを任意にとることができる継手を提供することを目的とする。
【０００８】
さらに、既存の形状のプラグを用いつつ、ソケット側でスリーブのストロークを大きく取ることができる、継手用のソケットを提供することも目的とする。
【課題を解決するための手段】
【０００９】
上記課題を解決するために、請求項１に係る発明は、ソケットと、前記ソケットに挿入されるプラグと、前記ソケットに形成されるプラグ受入部と、前記プラグ受入部を貫通して形成される操作子収容孔と、前記操作子収容孔に収容される操作子と、前記ソケットへの前記プラグの挿入方向に対して前記操作子収容孔より後方で、前記プラグ受入部を貫通して形成される、施錠子収容孔と、前記施錠子収容孔に収容されされる施錠子と、前記プラグに形成され、前記プラグが前記ソケットに挿入されると、前記操作子または前記施錠子を押し出す押出部と、前記操作子または前記施錠子を収容するために、前記プラグの挿入方向に対して前記押出部より後方で、前記プラグに形成されるプラグ溝と、前記ソケットに取り付けられるスリーブと、前記スリーブを所定状態に付勢する付勢部材とから構成される継手において、前記スリーブ内面に形成されるスリーブ突出部であって、前記操作子または前記施錠子が前記押出部により押されていない状態で、前記操作子または前記施錠子を前記押出部とは逆方向に押す、スリーブ突出部と、前記スリーブ突出部に形成される操作子収容溝と、前記スリーブ突出部から前記操作子収容溝までをなだらかに接続するように形成される操作子収容溝傾斜面と、前記スリーブ突出部に形成される施錠子収容溝と、前記スリーブ突出部に形成され、前記施錠子に当接する施錠面とを備えており、前記プラグを前記ソケットに挿入すると、前記プラグの前記押出部により前記操作子が押し出され、前記操作子が前記操作子収容溝傾斜面を押すことにより前記スリーブが前記付勢部材の付勢力に抗して第１の回転方向に回転して、前記操作子収容溝に前記操作子が収容され、前記スリーブが前記第１の回転方向に回転すると、前記プラグの前記押出部により前記施錠子が押し出されて、前記施錠子収容溝に前記施錠子が収容され、前記押出部による前記施錠子の押出が無くなると、前記施錠子が前記プラグ溝に収容された状態となり、前記スリーブ側で前記施錠面が前記状態で前記施錠子を保持して前記施錠子による前記スリーブの回転や移動を防止することによって、前記プラグを前記ソケットに固定することを特徴とする継手である。
【００１０】
請求項２に係る発明は、請求項１に記載の継手において、前記プラグを前記ソケットに挿入すると、前記操作子が前記スリーブを前記第１の回転方向に回転させ、次いで、前記施錠子が前記スリーブをさらに前記第１の回転方向に回転させることを特徴とする継手である。
【００１１】
請求項３に係る発明は、請求項２に記載の継手において、
前記施錠子が前記施錠子収容溝の縁部を押すことにより、前記スリーブが前記付勢部材の付勢力に抗してさらに前記第１の回転方向に回転することを特徴とする継手である。
【００１２】
請求項４に係る発明は、請求項１乃至３の何れか一項に記載の継手において、
前記操作子が前記操作子収容溝傾斜面を転動して、前記操作子が前記スリーブを前記第１の回転方向に回転させることを特徴とする継手である。
【００１３】
請求項５に係る発明は、請求項１乃至４の何れか一項に記載の継手において、
前記プラグを前記ソケットに挿入すると、前記施錠子が前記押出部により前記施錠子収容溝に押し出された後、前記施錠子が前記プラグ溝に収容されることを特徴とする継手である。
【００１４】
請求項６に係る発明は、請求項１乃至５の何れか一項に記載の継手において、前記プラグを前記ソケットに固定する直前に、前記スリーブが前記第１の回転方向とは逆の第２の回転方向に回転することを特徴とする継手である。
【００１５】
請求項７に係る発明は、ソケットと、前記ソケットに挿入されるプラグと、前記ソケットに形成されるプラグ受入部と、前記プラグ受入部を貫通して形成される操作子収容孔と、前記操作子収容孔に収容される操作子と、前記ソケットへの前記プラグの挿入方向に対して前記操作子収容孔より後方で、前記プラグ受入部を貫通して形成される、施錠子収容孔と、前記施錠子収容孔に収容されされる施錠子と、前記プラグに形成され、前記プラグが前記ソケットに挿入されると、前記操作子または前記施錠子を押し出す押出部と、前記操作子または前記施錠子を収容するために、前記プラグの挿入方向に対して前記押出部より後方で、前記プラグに形成されるプラグ溝と、前記ソケットに取り付けられるスリーブと、前記スリーブを所定状態に付勢する付勢部材とから構成される継手において、前記スリーブ内面に形成されるスリーブ突出部であって、前記操作子または前記施錠子が前記押出部により押されていない状態で、前記操作子または前記施錠子を前記押出部とは逆方向に押す、スリーブ突出部と、前記スリーブ突出部に形成される操作子収容溝と、前記スリーブ突出部から前記操作子収容溝までをなだらかに接続するように形成される操作子収容溝傾斜面と、前記スリーブ突出部に形成される施錠子収容溝と、前記スリーブ突出部に形成され、前記施錠子に当接する施錠面とを備えており、前記プラグを前記ソケットに挿入すると、前記プラグの前記押出部により前記操作子が押し出され、前記操作子が前記操作子収容溝傾斜面を押すことにより、前記スリーブが前記付勢部材の付勢力に抗して第１の回転方向に回転し、且つ前記操作子が前記操作子収容溝壁部を押すことにより、前記スリーブが前記付勢部材の付勢力に抗して第１の方向に移動して、前記操作子収容溝に前記操作子が収容され、前記スリーブが前記第１の回転方向に回転しつつ前記第１の方向に移動すると、前記プラグの前記押出部により前記施錠子が押し出されて、前記施錠子収容溝に前記施錠子が収容され、、前記押出部による前記施錠子の押出が無くなると、前記施錠子が前記プラグ溝に収容された状態となり、前記スリーブ側で前記施錠面が前記状態で前記施錠子を保持して前記施錠子による前記スリーブの回転や移動を防止することによって、前記プラグを前記ソケットに固定することを特徴とする継手である。
【００１６】
請求項８に係る発明は、請求項７に記載の継手において、前記プラグを前記ソケットに挿入すると、前記操作子が前記スリーブを前記第１の回転方向に回転させつつ、前記操作子が前記スリーブを前記第１の方向に回転させ、次いで、前記施錠子が前記スリーブをさらに前記第１の回転方向に回転させつつ、前記施錠子が前記スリーブをさらに前記第１の方向に移動させる、ことを特徴とする継手である。
【００１７】
請求項９に係る発明は、請求項８に記載の継手において、前記施錠子が前記施錠子収容溝の縁部を押すことにより、前記スリーブが前記付勢部材の付勢力に抗してさらに前記第１の回転方向に回転しつつ、前記施錠子が前記施錠子収容溝壁部を押すことにより、前記スリーブが前記付勢部材の付勢力に抗してさらに前記第１の方向に移動することを特徴とする継手である。
【００１８】
請求項１０に係る発明は、請求項７乃至９の何れか一項に記載の継手において、前記操作子が前記操作子収容溝傾斜面を転動して、前記操作子が前記スリーブを前記第１の回転方向に回転させつつ、前記操作子が前記操作子収容溝壁部を押して、前記操作子が前記スリーブを前記第１の移動方向に移動させることを特徴とする継手である。
【００１９】
請求項１１に係る発明は、請求項７乃至１０の何れか一項に記載の継手において、前記プラグを前記ソケットにさらに挿入すると、前記施錠子が前記押出部により前記施錠子収容溝に押し出された後、前記施錠子が前記プラグ溝に収容された状態となることを特徴とする継手である。
【００２０】
請求項１２に係る発明は、請求項７乃至１１の何れか一項に記載の継手において、前記プラグを前記ソケットに固定する直前に、前記スリーブが前記第１の回転方向とは逆の第２の回転方向に回転し、且つ前記スリーブが前記第１の移動方向とは逆の第２の移動方向に移動することを特徴とする継手である。
【００２１】
請求項１３に係る発明は、請求項１乃至１２の何れか一項に記載の継手において、前記スリーブの回転角度を所定範囲に規制する回転規制手段を備えることを特徴とする継手である。
【００２２】
請求項１４に係る発明は、請求項１乃至１３の何れか一項に記載の継手において、前記プラグを前記ソケットに固定した状態で、前記スリーブを所定方向に平行移動することにより、前記固定した状態を解除することを特徴とする継手である。
【００２３】
請求項１５に係る発明は、請求項１乃至１４の何れか一項に記載の継手において、前記プラグを前記ソケットに固定した状態で、前記スリーブを前記第１の回転方向に回転させて、前記施錠子を前記施錠子収容溝に収容することにより、前記固定した状態を解除することを特徴とする継手である。
【００２４】
請求項１６に係る発明は、ソケットと、前記ソケットに挿入されるプラグと、前記ソケットに形成されるプラグ受入部と、前記プラグ受入部を貫通して形成される操作子収容孔と、前記操作子収容孔に収容される操作子と、前記ソケットへの前記プラグの挿入方向に対して前記操作子収容孔より後方で、前記プラグ受入部を貫通して形成される、施錠子収容孔と、前記施錠子収容孔に収容されされる施錠子と、前記プラグに形成され、前記プラグが前記ソケットに挿入されると、前記操作子または前記施錠子を押し出す押出部と、前記操作子または前記施錠子を収容するために、前記プラグの挿入方向に対して前記押出部より後方で、前記プラグに形成されるプラグ溝と、前記ソケットに取り付けられるスリーブと、前記スリーブを所定状態に付勢する付勢部材とから構成される継手に用いるソケットおいて、前記スリーブ内面に形成されるスリーブ突出部であって、前記操作子または前記施錠子が前記押出部により押されていない状態で、前記操作子または前記施錠子を前記押出部とは逆方向に押す、スリーブ突出部と、前記スリーブ突出部に形成される操作子収容溝と、前記スリーブ突出部から前記操作子収容溝までをなだらかに接続するように形成される操作子収容溝傾斜面と、前記スリーブ突出部に形成される施錠子収容溝と、前記スリーブ突出部に形成され、前記施錠子に当接する施錠面とを備えており、前記プラグを前記ソケットに挿入すると、前記プラグの前記押出部により前記操作子が押し出され、前記操作子が前記操作子収容溝傾斜面を押すことにより前記スリーブが前記付勢部材の付勢力に抗して第１の回転方向に回転して、前記操作子収容溝に前記操作子が収容され、前記スリーブが前記第１の回転方向に回転すると、前記プラグの前記押出部により前記施錠子が押し出されて、前記施錠子収容溝に前記施錠子が収容され、前記押出部による前記施錠子の押出が無くなると、前記施錠子が前記プラグ溝に収容された状態となり、前記スリーブ側で前記施錠面が前記状態で前記施錠子を保持して前記施錠子による前記スリーブの回転や移動を防止することによって、前記プラグを前記ソケットに固定することを特徴とするソケットである。
【００２５】
請求項１７に係る発明は、ソケットと、前記ソケットに挿入されるプラグと、前記ソケットに形成されるプラグ受入部と、前記プラグ受入部を貫通して形成される操作子収容孔と、前記操作子収容孔に収容される操作子と、前記ソケットへの前記プラグの挿入方向に対して前記操作子収容孔より後方で、前記プラグ受入部を貫通して形成される、施錠子収容孔と、前記施錠子収容孔に収容されされる施錠子と、前記プラグに形成され、前記プラグが前記ソケットに挿入されると、前記操作子または前記施錠子を押し出す押出部と、前記操作子または前記施錠子を収容するために、前記プラグの挿入方向に対して前記押出部より後方で、前記プラグに形成されるプラグ溝と、前記ソケットに取り付けられるスリーブと、前記スリーブを所定状態に付勢する付勢部材とから構成される継手に用いるソケットおいて、前記スリーブ内面に形成されるスリーブ突出部であって、前記操作子または前記施錠子が前記押出部により押されていない状態で、前記操作子または前記施錠子を前記押出部とは逆方向に押す、スリーブ突出部と、前記スリーブ突出部に形成される操作子収容溝と、前記スリーブ突出部から前記操作子収容溝までをなだらかに接続するように形成される操作子収容溝傾斜面と、前記スリーブ突出部に形成される施錠子収容溝と、前記スリーブ突出部に形成され、前記施錠子に当接する施錠面とを備えており、前記プラグを前記ソケットに挿入すると、前記プラグの前記押出部により前記操作子が押し出され、前記操作子が前記操作子収容溝傾斜面を押すことにより、前記スリーブが前記付勢部材の付勢力に抗して第１の回転方向に回転し、且つ前記操作子が前記操作子収容溝壁部を押すことにより、前記スリーブが前記付勢部材の付勢力に抗して第１の方向に移動して、前記操作子収容溝に前記操作子が収容され、前記スリーブが前記第１の回転方向に回転しつつ前記第１の方向に移動すると、前記プラグの前記押出部により前記施錠子が押し出されて、前記施錠子収容溝に前記施錠子が収容され、、前記押出部による前記施錠子の押出が無くなると、前記施錠子が前記プラグ溝に収容された状態となり、前記スリーブ側で前記施錠面が前記状態で前記施錠子を保持して前記施錠子による前記スリーブの回転や移動を防止することによって、前記プラグを前記ソケットに固定することを特徴とするソケットである。
【発明の効果】
【００２６】
請求項１または請求項１６に係る発明によれば、ソケットとプラグとの接続時にはスリーブが第１の回転方向に回転してソケットとプラグとをワンタッチで固定することができる。
【００２７】
請求項７または請求項１７に係る発明によれば、ソケットとプラグとの接続時には、スリーブが第１の回転方向に回転しながら第１の方向に移動して、ソケットとプラグとをワンタッチで固定することができる。
【発明を実施するための最良の形態】
【００２８】
本発明に係る継手を管継手に適用した各実施形態を、図面を参照して説明する。
【００２９】
〔第１の実施形態〕本発明の第１の実施形態に係る管継手を、図１乃至図１１を参照して説明する。図１は管継手１の側面図を示しており、この管継手１は、管状のソケット１０と、ソケット１０に挿入されるプラグ３０と、ソケット１０の右端部（プラグ３０の挿入側）に取り付けられる管状のスリーブ５０とから構成される。図１に矢印で示す挿入方向から、プラグ３０がソケット１０に挿入される。なお、以下、図示しないが、ソケット１０及びプラグ３０には両者が接続されると開放する弁がそれぞれ設けられ、これらの弁が開くことによりソケット１０とプラグ３０との間の管路が連通する。
【００３０】
さらに、プラグ３０には、ソケット１０に挿入される挿入部３１が形成されており、挿入部３１の外周面は環状に突出するボール押出部３２が形成される。ボール押出部３２の挿入方向に対して後方において、挿入部３１の外周面はプラグ溝３３が形成される。
【００３１】
図２に、ソケット１の軸線方向Ａに沿ったソケット１０及びスリーブ５０の断面図を示す。ソケット１は、プラグ３０の挿入部３１を受け入れる管状のプラグ受入部１１を備えており、プラグ受入部１１内にプラグ受入空間部１１ａが形成される。プラグ受入部１１には、プラグ３０が挿入されるプラグ挿入開口縁１１ｂが形成される。さらに、プラグ受入部１１には、前ボール受入孔１３ａが形成され、プラグ挿入開口縁１１ｂから見て、前ボール受入孔１３ａの後方（左側）に、後ボール受入孔１３ｂが形成されている。図示しないが、前ボール受入孔１３ａ及び後ボール受入孔１３ｂは、プラグ受入部１１に環状に所定間隔で複数配置されている。また、前ボール受入孔１３ａ、後ボール受入孔１３ｂは、それぞれ前ボール（操作子）１２ａ、後ボール（施錠子）１２ｂを収容する。
【００３２】
前ボール受入孔１３ａ及び後ボール受入孔１３ｂは、それぞれプラグ受入部１１の壁面を貫通している。各ボール受入孔１３ａ、１３ｂは、プラグ受入部１１の外面側の開口が、その内面側の開口より大きく、内面側の開口がボールの直径より小さく形成され、外面側の開口がボールの直径より大きく形成されている。したがって、ボール受入孔１３ａ、１３ｂに収容されたボール１２ａ、１２ｂは、それぞれプラグ受入部１１からプラグ挿入空間１１ａ内に、当該ボールの一部が露出する状態で保持される。
【００３３】
さらに、後ボール受入孔１３ｂより後方（左側）のプラグ受入部１１には、ゴム製の環状シール１９が配置されている。環状シール１９は、ソケット１０とプラグ３０との接続時に、プラグ３０の挿入部３１に当接して、ソケット１０とプラグ３０との間を密封する。
【００３４】
プラグ受入部１１の外周側にはスリーブ５０が取り付けられる。このスリーブ５０は、ソケット１の軸線方向Ａに対して平行に、図２にＳで示されるストロークで摺動可能である。スリーブ５０の内周面と、プラグ受入部１１の外周面との間には、捩りコイルスプリング１５（付勢部材）を収容するスプリング収容空間１６が環状に形成されている。捩りコイルスプリング１５は、両端に折曲部を備えたコイル形状であり、その一端がソケット１０の孔（図示しない）に係止されており、他端がスリーブ５０のスプリング係止溝５６（図４参照）に係止される。
【００３５】
スリーブ５０は、図２の状態から後退方向Ｚ２に摺動可能であり、スリーブ５０の摺動方向は軸線方向Ａに平行である。図２の位置からさらに前進方向Ｚ１にスリーブ５０が移動してソケット１０から外れることを防止するために、プラグ受入部１１にはスリーブ止め部材１７が取り付けられている。
【００３６】
スリーブ止め部材１７は、環状部１７ａ（図２）と直線部１７ｂ（図６（ｂ））とから構成される。スリーブ止め部材１７の環状部１７ａは、プラグ受入部１１の外周面に形成された不図示の環状溝に収容され、スリーブ５０の前進方向Ｚ１への移動を規制する。スリーブ止め部材１７の直線部１７ｂは、プラグ受入部１１の外周面上で軸線方向Ａに平行に形成された不図示の直線溝に配置される。スリーブ止め部材１７の直線部１７ｂ（回転規制手段）は、後述の図９（ｂ）や図１０（ｂ）に示すように、スリーブ５０のスリーブ止め部材係合溝５６に係合して、スリーブ５０の回転角度を一定角度範囲に規制する。
【００３７】
次に、図３乃至図５を用いて、スリーブ５０の構造を説明する。図３に示すように、筒状のスリーブ５０はその左側内面に、捩りコイルスプリング１５を収容するスプリング収容面５２を備える。図３において、スリーブ５０の右側は左側と比べて、肉厚に形成されており、スリーブ５０の右側内面には、スリーブ５０の右端の接続側端部５３から、軸線方向Ａに平行に複数の溝が形成される。スリーブ５０の内周面には環状のスリーブ突出部５４が形成されており、このスリーブ突出部５４の右端５４ａは、スリーブ止め部材１７の環状部１７ａに当接する。
【００３８】
図４は、図３のスリーブ５０をその右端の接続側部５３側から見た平面図である。スリーブ５０の内曲面には、接続側端部５３側からスリーブ突出部５４を貫通する複数の溝５５、５６、５７、５８が設けられている。これらの溝の形状及び配置を説明するために、スリーブ５０を仮想的に図４のＢ−Ｂ線で切断して、スリーブ５０の内曲面を平板状に展開したものを図５に示して説明する。
【００３９】
図５に示すように、溝は合計１０個形成されており、それぞれの溝はＢ−Ｂ線（即ち軸線方向Ａ）と平行に形成されている。スリーブ５０の内周面には、捩りコイルスプリング１５の端部に形成された折曲部を係止するためのスプリング係止溝５５と、スリーブ５０の回転角度を規制するために、スリーブ止め部材１７の直線部１７ｂが係合するスリーブ止め部材係合溝５６と、前ボール１２ａを収容する前ボール収容溝５７と、スリーブ突出部５４の内曲面から前ボール収容溝５７までがなだらかに接続するように、前ボール収容溝５７の縁を軸線方向Ａと平行に切り取って形成された前ボール収容溝傾斜面５７ａと、後ボール１２ｂを収容する後ボール収容溝５８とが形成されている。
【００４０】
さらに、スリーブ突出部５４には、軸線方向Ａに平行にスリーブ施錠面５４ｃが形成されており、スリーブ施錠面５４ｃは上記各溝５５〜５８に比べて浅い溝である。なお、図４においては、スリーブ施錠面５４ｃを図示していないが、スリーブ施錠面５４ｃは、図４における後ボール収容溝５８の時計方向側に隣接して、後ボール収容溝５８と平行に形成される。スリーブ施錠面５４ｃは、後述のロック状態（図１０）において、後ボール１２ｂに当接して、プラグ３０がソケット１０から抜ける方向に力が加わった場合に、スリーブ５０が軸線方向Ａに移動することや、スリーブ５０が回転することを防止するものである。尚、本発明の形態では、スリーブ施錠面５４ｃを浅い溝に形成したが、スリーブ施錠面５４ｃは溝でなくとも軸線方向Ａに平行な面であればよい。スリーブ施錠面５４ｃを溝に形成することにより、スリーブ施錠面５４ｃの溝に後ボール１２ｂが嵌まり、誤ってスリーブ５０が回転してしまうのを防止することができる。
【００４１】
次に、第１の実施形態の管継手において、ソケット１０にプラグ３０を接続する際の動作を説明する。第１の実施形態において、プラグ３０とソケット１０との接続時には、プラグ３０をソケット１０に挿入すると、スリーブ５０が軸線方向Ａに摺動せず自動的に回転のみして、プラグ３０とソケット１０とを接続するものである。以下の図６乃至図１０においては、本発明における各溝と各ボールとの関係を示すために、説明に必要な溝以外は図示を省略し、且つスリーブ止め部材係合溝５６及び前ボール収容溝５７に対する、後ボール収容溝５８の円周上の配置角度を変更している。
【００４２】
図６（ａ）には、プラグを接続する前のソケット１０及びスリーブ５０の軸線方向Ａにおける断面図を示している。図６（ａ）に示すように、スリーブ５０は捩りコイルスプリング１５により前進方向Ｚ１に付勢されて、スリーブ止め部材１７の環状部１７ａにより、図６（ａ）に示す位置で係止されている。また、図６（ｂ）は、図６（ａ）のＣ−Ｃ線における断面図である。図６（ａ）及び（ｂ）に示すように、前ボール１２ａ及び後ボール１２ｂは、それぞれスリーブ５０の前ボール収容溝５７及び後ボール収容溝５８に収容されていない。以下、図７（ｂ）、図８（ｂ）、図９（ｂ）、図１０（ｂ）は、図６（ａ）のＣ−Ｃ線と同じ位置で、図７（ａ）、図８（ａ）、図９（ａ）、図１０（ａ）におけるソケット１０及びスリーブ５０を切断した状態を示している。
【００４３】
なお、スリーブ５０は、捩りコイルスプリング１５により、図６（ａ）に示す前進方向Ｚ１に常時付勢されている。したがって、捩りコイルスプリング１５の付勢力に抗して、スリーブ５０が後退方向Ｚ２に押されても、押圧力が無くなれば、自動的に前進方向Ｚ１に移動して、図６（ａ）の位置に戻ろうとする。また、スリーブ５０は、図６（ｂ）において、捩りコイルスプリング１５により反時計方向Ｙに付勢されている。したがって、捩りコイルスプリング１５の付勢力に抗して、スリーブ５０が時計方向Ｘに回転させられても、時計方向Ｘへの回転させる力が無くなると、自動的に反時計方向Ｙに回転し、図６（ｂ）の位置に戻ろうとする。
【００４４】
図７にはプラグ３０の先端をソケット１０のプラグ受入部１１内に差し込んだ状態を示す。図７（ａ）では、ボール押出部３２の傾斜面（軸線方向Ａに対して傾斜）が、前ボール１２ａに接触して、前ボール１２ａをプラグ受入部１１の外側に向けて押し出し始める。これによって、ソケット１０の前ボール収容孔１３ａに遊嵌された前ボール１２ａは、スリーブ突出部５４側に押し出される。
【００４５】
図７（ｂ）に示すように、外側に押し出されつつある前ボール１２ａは、スリーブ５０の前ボール収容溝５７に形成された前ボール収容溝傾斜面５７ａ（径方向に傾斜）を押し始める。
【００４６】
押されたスリーブ５０は、図７（ｂ）に示す時計方向Ｘに回転する。スリーブ５０の時計方向Ｘへの回転に伴って、前ボール１２ａは、前ボール収容溝５７に向かって、前ボール収容溝傾斜面５７ａを転動し始める。一方、後ボール１２ｂは、図７（ａ）に示すように、スリーブ突出部５４により押されており、ボール押出部３２に接触していないためプラグ受入部１１の内側（第１側）に突出している。
【００４７】
図８は、図７の状態からさらにプラグ３０をソケット１０内に挿入した状態である。図８（ａ）に示すように、前ボール１２ａは、ボール押出部３２によって、プラグ受入部１１の内側から前ボール収容溝５７側にほぼ押し出されている。図８（ｂ）に示すように、前ボール１２ａの前ボール収容溝５７側への移動に伴って、スリーブ５０はさらにソケット１０に対して時計方向Ｘに回転する。このスリーブ５０の回転によって、前ボール１２ａはさらにソケット１０によってボール収容孔１３ａから押し出されて、傾斜面５７ａに沿って前ボール収容溝５７に向かって移動することとなる。
【００４８】
一方、後ボール１２ｂは、図８（ａ）に示すように、プラグ受入部１１の内側に突出しており、ボール押出部３２の傾斜面が後ボール１２ｂに接触して、後ボール１２ｂをプラグ受入部１１の外側に押し出し始める。
【００４９】
ボール押出部３２の傾斜面が、後ボール１２ｂを押し出し始めるとき（図８（ａ）の状態）、後ボール１２ｂは、スリーブ５０の後ボール収容溝５８に対して反時計方向Ｙに若干ずれた状態（図８（ｂ））に配置されている。
【００５０】
したがって、スリーブ５０の後ボール収容溝５８には傾斜面が形成されていなくとも、後ボール１２ｂがプラグ受入部１１の外側方向に押し出されると、後ボール１２ｂが後ボール収容溝角部（後ボール収容溝の縁部）５８ｑを押圧して、捩りコイルスプリング１５の反時計方向Ｙへの付勢力に抗してスリーブ５０をさらに時計方向Ｘに回転させる。
【００５１】
図９は、図８の状態からさらにプラグ３０が挿入された状態である。前ボール１２ａに関しては、図８の状態から、プラグ３０がさらに挿入されると、プラグ３０の環状突起部３２が前ボール１２ａを越えて、前ボール１２ａは環状のプラグ溝３３内に移動し始める。しかし、この状態では、前ボール１２ａは、環状のプラグ溝３３を形成する面に接触することなく、ソケット１０の前ボール収容部１３ａ内に遊嵌されていため、前ボール１２ａはスリーブ５０に対して力を加えない。
【００５２】
一方、図９（ａ）に示すように、後ボール１２ｂは、プラグ突起部３２によって、プラグ受入部１１の内側から完全に押し出された状態となっている。この状態では、図９（ｂ）に示すように、後ボール１２ｂが後ボール収容溝角部５８ｑに押されて、後ボール収容溝５８に入り込むこととなる。
【００５３】
尚、これ以上のスリーブ５０の時計方向Ｘの回転は、プラグ１０のプラグ受入部１１に固定されたスリーブ止め部材１７の直線部１７ｂがスリーブ止め部材係合溝５６の端に接触するため規制される。
【００５４】
図１０は、図９の状態からさらにプラグ３０が挿入されてロックが完了した状態である。図９の状態からさらにプラグ３０が挿入されると、前ボール１２ａがプラグ溝３３内に導かれ、次いで、後ボール１２ｂがボール押出部３２を乗り越えてプラグ溝３３の傾斜面に当接した状態になる。この状態では、前ボール１２ａ及び後ボール１２ｂによるスリーブ５０に対する時計方向Ｘへの押圧力、即ちスリーブの回転規制が無くなるため、スリーブ５０は捩りコイルスプリング１５の付勢力によって、反時計方向Ｙに回転して、図１０（ｂ）に示すロック状態（前記プラグを前記ソケットに固定した状態）になる。
【００５５】
ロック状態では、図１０（ａ）に示すように、ソケット１０に対するプラグ３０の分離方向の移動は、後ボール１２ｂがプラグ溝３３の傾斜面に当接することによって阻止されている。一方、後ボール１２ｂは、図１０（ｂ）に示すように、プラグ受入部１１の内側から外側への移動に関しては、後ボール収容溝５８が反時計方向にずれており、スリーブ突出部５４が後ボール１２ｂに対向して、移動を制限しているため、後ボール１２ｂがプラグ溝３３から外れることもない。
【００５６】
図１０（ａ）に示すように、後ボール１２ｂがソケット１０のプラグ受入部１１とプラグ溝３３との間に介在した状態となり、ソケット１０とプラグ３０とが後ボール１２ｂによってロック状態となって、両者の接続が完了する。
【００５７】
この状態では、後ボール１２ｂだけがソケット１０とプラグ３０とのロックに寄与し、前ボール１２ａはロックには寄与していない。前ボール１２ａは、図７（ｂ）、図８（ｂ）、図９（ｂ）を用いて説明したように、捩りコイルスプリング１５の付勢力に抗して、スリーブ５０を時計方向Ｘに回転させることだけに寄与している。
【００５８】
もし仮にスリーブ突出部５４の後ボール１２ｂの当接するスリーブ施錠面５４ｃがソケット５０の前方端部５３に向かって半径方向外側に傾斜する面であれば、いくら後ボール１２ｂがプラグ溝３３に収容された状態であっても、プラグ３０が後退した場合、後ボールがこの傾斜面を転動することにより、スリーブ５０に対して後退方向Ｚ２に向かって力が発生しスリーブ５０が後退方向Ｚ２に動いてしまい、ロック状態が解除されて、ソケット１０からプラグ３０が抜けてしまうことになる。
【００５９】
次に、第１の実施形態において、プラグ３０をソケット１０から取外す場合の動作を説明する。プラグ３０は、図１０の状態から、次に説明するように、操作（１）または（２）によって、ソケット１０から取り外しが可能である。
【００６０】
（１）図１０（ｂ）の状態から、捩りコイルスプリング１５の付勢力に抗して、使用者がスリーブ５０を時計方向Ｘに回転させる。スリーブ５０が時計方向Ｘに回転して、図９（ｂ）の状態に戻ると、スリーブ５０の後ボール収容溝５８が後ボール１２ｂに、前ボール収容溝５７が前ボール１２ｂに、それぞれ整合する。これにより、後ボール１２ｂ及び前ボール１２ａは遊嵌状態となる。この状態で、プラグ３０をソケット１０から分離する方向に引くと、プラグ３０の環状突起部３２によって、後ボール１２ｂ及び前ボール１２ａは順に溝側に押し出されてロックが解除され、プラグ３０の引き抜きが可能となる。
【００６１】
（２）図１０（ａ）の状態から、スリーブ突出部５４の軸線方向Ａの幅を越えて、捩りコイルスプリング１５の付勢力に抗して、スリーブ５０を後退方向Ｚ２に移動させる。この移動によって、スリーブ５０は図１１に示す状態になり、前ボール１２ａ及び後ボール１２ｂが、スリーブ５０の接続側端部５３の近傍に形成された隙間（スリーブ開放面）５９に整合すると、両ボール１２ａ、１２ｂは遊嵌状態となる。この状態で、プラグ３０をソケット１０から分離する方向に引くと、プラグ３０の環状突起部３２によって、後ボール１２ｂ及び前ボール１２ａは順に隙間５９側に移動してロックが解除され、プラグ３０の引き抜きが可能になる。
【００６２】
なお、スリーブ突出部５４の軸線方向Ａの幅を長くして、スリーブ５０の軸線方向ＡにおけるストロークＳを大きくすることもできる。これによって、誤ってスリーブ５０を多少後退方向Ｚ２に移動させる事態が生じても、プラグ３０の抜けを防止できる。また、スリーブ突出部５４の軸線方向Ａの幅を長くして、スリ−ブ５０を後退方向Ｚ２に最大移動させても、後ボール１２ｂがスリーブ突出部５４の施錠面５４ｃに対向してプラグ３０が抜けないようにし、スリ−ブ５０の回転によってのみプラグ３０の引き抜きができるようにすることも可能である。
【００６３】
〔第２の実施形態〕本発明の管継手に係る第２の実施形態を説明する。なお、第２の実施形態において、第１の実施形態と同一部分には同一の符号を付してその説明を省略する。
【００６４】
第２の実施形態の管継手は、ソケット１０、スリーブ５０’、プラグ３０から構成され、スリーブ５０’以外は、第１の実施形態の管継手に用いたものと同一のものを用いる。
【００６５】
図１２乃至図１４を用いて、第２の実施形態に係るスリーブ５０’の構造を説明する。図１２に示すように、筒状のスリーブ５０’はその左側内面に、捩りコイルスプリング１５を収容するスプリング収容面５２を備える。図１２において、スリーブ５０’の右側は左側と比べて、肉厚に形成されており、スリーブ５０’の右側内面には、スリーブ５０’の右側の接続側端部５３から、軸線方向Ａに平行に複数の溝が形成される。スリーブ５０’の内周面には環状のスリーブ突出部５４が形成されており、このスリーブ突出部５４の右端５４ａは、スリーブ止め部材１７の環状部１７ａに接触する。
【００６６】
図１３は、図１２のスリーブ５０’をその右端の接続側端部５３側から見た平面図である。スリーブ５０’の内曲面には、接続側端部５３側からスリーブ突出部５４の途中まで、複数の溝５７’、５８’が設けられている。また、スリーブ５０’の内曲面には、接続側端部５３側からスリーブ突出部５４を貫通する溝５５、５６が設けられている。これらの溝の形状及び配置を説明するために、スリーブ５０’を仮想的に図１３のＢ−Ｂ線で切断して、スリーブ５０’の内曲面を平板状に展開したものを図１４に示して説明する。
【００６７】
図１４に示すように、溝は合計１０個形成されており、それぞれの溝はＢ−Ｂ線（即ち軸線方向Ａ）と平行に形成されている。スリーブ５０’の内周面には、前ボール１２ａを収容する前ボール収容溝５７’と、スリーブ突出部５４の内曲面から前ボール収容溝５７’がなだらかに接続するように、前ボール収容溝５７’の縁を軸線方向Ａと平行に切り取って形成された前ボール収容溝傾斜面５７’ａと、後ボール１２ｂを収容する後ボール収容溝５８’とが形成されている。前ボール収容溝５７’、後ボール収容溝５８’は、接続側端部５３側からスリーブ突出部５４の途中まで形成されており、第１の実施形態とは異なり、スリーブ突出部５４の後端５４ｂを貫通していない。したがって、前ボール収容溝５７’、後ボール収容溝５８’の挿入方向に末端部には、それぞれ、前ボール収容溝壁部５７’ｂ、後ボール収容溝壁部５８’ｂが形成されている。なお、図１４から明らかなように、前ボール収容溝５７’の接続側端部５３から前ボール収容溝壁部５７’ｂ迄の長さは、後ボール収容溝５８’の接続側端部５３から後ボール収容溝壁部５８’ｂ迄の長さよりも、短く形成されている。
【００６８】
次に、第２の実施形態の管継手において、ソケット１０にプラグ３０を接続する際の動作を説明する。第２の実施形態の管継手の動作を概説すると、ソケット１０へのプラグ３０の接続時には、スリーブ５０’が回転しながら後退して、ソケット１０とプラグ３０とが接続する。両者の分離時には、スリーブ５０’は回転動作のみではソケット１０から分離せず、スリーブ５０’を引くことによって、ソケット３０をプラグ１０から分離する。
【００６９】
第２の実施形態の管継手の接続動作を、図７、図１５〜図１８を用いて詳細に説明する。第２の実施形態の管継手において、ソケット３０をプラグ１０に挿入し始めた状態では、第１の実施形態の図７で示した状態と同じである。図７と同様に、前ボール１２ａ及び後ボール１２ｂは、スリーブ５０’の突起部５４によってプラグ受入部１１の内側に押されている。
【００７０】
図１５は、図７の状態からさらにソケット３０を挿入した状態である。図１５（ａ）に示すように、ボール押出部３２の傾斜面が前ボール１２ａに当接するため、前ボール１２ａがボール押出部３２によってプラグ受入部１１の内側から外側に押される。同時に、図１５（ｂ）に示すように、前ボール１２ａは、前ボール収容溝傾斜面５７’ａの縁部に当接している。なお、図１５（ｂ）からは明確ではないが、前ボール収容溝壁部５７’ｂが前ボール１２ａに当接するか、またはその近傍に位置している。
【００７１】
したがって、ボール押出部３２によって押された前ボール１２ａは、前ボール収容溝傾斜面５７’ａ及び前ボール収容溝壁部５７’ｂに接触して、これらを押し始める。一方、後ボール１２ｂは、図１５の状態において、ボール押出部３２に接触しておらず、スリーブ突出部５４によって押されたままであり、スリーブ５０’には何ら作用していない。
【００７２】
図１６は、図１５の状態からさらにプラグ３０を挿入した状態である。図１６（ａ）に示すように、前ボール１２ａはボール押出部３２に当接しており、前ボール１２ａは、前ボール収容溝傾斜面５７’ａ及び前ボール収容溝壁部５７’ｂに整合している。
【００７３】
したがって、ボール押出部３２が前ボール１２ａを押すと、前ボール１２ａがプラグ受入部１１の内側から外側の方向に押し出され、前ボール収容溝傾斜面５７’ａ及び前ボール収容溝壁部５７’ｂが前ボール１２ａによって押される。これによって、スリーブ５０’は、捩りコイルスプリング１６の付勢力に抗して、図１６（ａ）の後退方向Ｚ２に移動しつつ、図１６（ｂ）の時計方向Ｘに回転する。
【００７４】
一方、後ボール１２ｂは、図１６（ａ）に示すように、ボール押出部３２の傾斜面に当接している。さらに、後ボール１２ｂは、後ボール収容溝５８’に軸線方向Ａに沿ってほぼ整合しつつあり、後ボール収容溝壁部５８’ｂに当接しつつある。また、図１６（ｂ）に示すように、後ボール１２ｂは、後ボール収容溝５８’、後ボール収容溝壁部５８’ｂと周方向に沿って若干ずれた位置にある。
【００７５】
この状態で、ボール押出部３２が後ボール１２ｂを押すと、後ボール１２ｂが後ボール収容溝壁部５８’ｂ及び後ボール収容溝角部５８’ｑに当たって、後ボール収容溝５８’に入り込むように、後ボール収容溝壁部５８’ｂ及び後ボール収容溝角部５８’ｑを押す。
【００７６】
図１７は、図１６の状態からさらにプラグ３０を挿入した状態である。図１７（ａ）に示すように、前ボール１２ａは、ボール押出部３２によって、前ボール収容溝５７’に押し出され、図１７（ｂ）に示すように、前ボール１２ａは前ボール収容溝５７’にほぼ整合している。一方、後ボール１２ｂは、図１７（ａ）に示すように、ボール押出部３２によって、プラグ受入部１１の内側から外側の方向に押し出される。このとき、後ボール１２ｂは、図１７（ｂ）に示すように、スリーブ５０’の時計方向Ｘへの回転によって移動してきた後ボール収容溝５８’と若干ずれた位置で対向する。
【００７７】
そして、後ボール収容溝５８’には傾斜面が形成されていないものの、押し出される後ボール１２ｂが、後ボール収容溝角部５８’ｑ及び後ボール収容溝壁部５８’ｂを押して、さらに、スリーブ５０’を時計方向Ｘ及び後退方向Ｚ２に移動する。
【００７８】
前ボール１２ａは、図１７の状態からプラグ３０がさらに挿入されると、まず、プラグ突起部３２が、前ボール１２ａを越え、前ボール１２ａはプラグ３０のプラグ溝３３に移動する。しかし、前ボール１２ａは、図１８（ｂ）に示すように、プラグ溝３３を形成する面に接触することなく、プラグ受入部１１の前ボール収容孔１３ａに遊嵌された状態となる。
【００７９】
一方、後ボール１２ｂは、図１７の状態からプラグ３０がさらに挿入されて、プラグ突起部３２が、後ボール１２ｂを越えると、後ボール１２ｂが、プラグ溝３３を形成する傾斜面に徐々に整合した位置に来る。この位置で、後ボール１２ｂがスリーブ５０’の後ボール収容溝５８’から抜けることが可能となって、後ボール１２ｂによるスリーブ５０’に対す回転規制及び軸方向移動規制がなくなる。捩りコイルスプリング１５の付勢力により、スリーブ５０’は、反時計方向Ｙに回転すると共に、前進方向Ｚ１に移動して、図１８のロック状態になる。
【００８０】
スリーブ５０’が反時計方向Ｙに回転しながら、また、前進方向Ｚ１に移動しながら、スリーブ突出部５４が、後ボール１２ｂをプラグ溝３３の傾斜面に押圧する（図１８（ａ）の状態）。これにより、後ボール１２ｂがソケット１０とプラグ３０との間に介在した状態となり、プラグ３０とソケット１０とがロック状態になる（図１８（ａ）の状態）。後ボール１２ｂだけがロックに寄与し、前ボール１２ａは、ロックには寄与せず、捩りコイルスプリング１５の付勢力に抗して、スリーブ５０’を時計方向Ｘへの回転すること、及びスリーブ５０’を前進方向Ｚ１に移動することだけに寄与している。
【００８１】
さらに、第２の実施形態の管継手の取外し動作を説明する。スリーブ突出部５４は、スリーブ５０’の内面のほぼ周方向全域にわたって形成されているので、捩りコイルスプリング１５の付勢力に抗して、時計方向Ｘに回転させても、後ボール１２ｂはスリーブ突出部５４によりプラグ溝３３の傾斜面に押圧した状態が維持され、ロックが解除されることはない。
【００８２】
スリーブ突出部５４の軸線方向の幅を越えて、捩りコイルスプリング１５の付勢力に抗してスリーブを進行方向Ｚ２に移動させることにより、前ボール１２ａ及び後ボール１２ｂが、スリーブ突出部５４を越えてスリーブ５０’に形成された隙間５９に整合すると、前ボール１２ａ及びボール１２ｂは遊嵌状態となり、プラグの引き抜きが可能となる。
【００８３】
もちろん、スリーブ５０’を時計方向Ｘに回転させて、軸線方向Ａに対して後ボール１２ｂと後ボール収容溝５８’とを整合させた状態とし且つスリーブ５０’を後退方向Ｚ２に移動させることで、後ボール１２ｂを後ボール収容溝５８’に入れ込むことによってもプラグ３０の引き抜きが可能となる。但し、この場合、２アクションとなるため、誤動作でプラグが抜ける可能性は低くなる。
【００８４】
また、スリーブ突出部５４の軸線方向Ａの幅を長くして、スリ−ブ５０’を後退方向Ｚ２に最大移動させても、後ボール１２ｂがスリーブ突出部５４の施錠面５４ｃに対向してプラグ３０が抜けないようにし、スリ−ブ５０’を時計方向Ｘに回転させて、軸線方向Ａに対して後ボール１２ｂと後ボール収容溝５８’とを整合させた状態とし且つスリーブ５０’を後退方向Ｚ２に移動にさせることで、後ボール１２ｂを後ボール収容溝５８’に入れ込むことによってのみプラグ３０の引き抜きができるようにすることも可能である。
【００８５】
最後に、上記第１または第２の実施形態の変形形態を説明する。なお、この変形形態において、第１の実施形態と同一部分には同一の符号を付してその説明を省略する。
【００８６】
この変形形態のソケット１０は、図１９に示すように、捩じりコイルスプリング１５の代わりに、スリーブ５０を進行方向Ｚ１に付勢するスプリング７０と、スリーブ５０を時計方向Ｘに付勢するバネ座部材７１とを備える。バネ座部材７１は、板状で略Ｖ字状に突出するバネ座部材突出部７１ａを備えている。
【００８７】
ソケット１０のプラグ受入部１１側には、上述のスリーブ止め部材１９を収容する溝と同様に軸線方向溝１１ｃが形成される。軸線方向溝１１ｃにバネ座部材７１の突起部７１ｂが収容され、バネ座部材７１の回転が規制される。さらに、スリーブ５０の内周面側には、軸線方向Ａと平行に突出部収容溝５９が形成され、バネ座部材突出部７１ａがスリーブ５０の突出部収容溝５９に当接することによって、スリーブ５０に対して回転方向に付勢力を与える。
【００８８】
この変形形態では、スリーブ５０の進行方向Ｚ１への付勢力（スプリング７０による付勢力）と、スリーブ５０の時計方向Ｘへの付勢力（バネ座部材７１による付勢力）とを、独立した部材で付与することとしたため、これらの付勢力の調整を独立して行うことが容易となる。
【００８９】
上記第１または第２の実施形態では、本発明の継手を管継手に適用した場合を説明したが、本発明は管継手に限らず、例えば、特開２００５―３５１３４８、特開２００１―１８２７２６、実開昭５５−１１３６２０に開示されている物品を固定する固定継手に適用することも可能である。
【図面の簡単な説明】
【００９０】
【図１】本発明の第１の実施形態に係るソケットとプラグとから構成される管継手の側面図である。
【図２】図１のソケットの断面図である。
【図３】本発明の第１の実施形態に係る管継手に用いるスリーブの断面図である。
【図４】図３のスリーブをプラグ挿入側から見た正面図である。
【図５】図４のスリーブの内面を図３のＢ−Ｂ線で仮想的に展開した平面図である。
【図６】図２のソケットに関して、プラグを接続前の状態を示す、（ａ）軸線方向Ａに沿った断面図、（ｂ）半径方向に沿った断面図である。
【図７】図１の管継手に関して、ソケットとプラグとの接続開始状態を示す、（ａ）軸線方向Ａに沿った断面図、（ｂ）半径方向に沿った断面図である。
【図８】図７の状態からさらにプラグをソケットに挿入した状態を示す（ａ）軸線方向Ａに沿った断面図、（ｂ）半径方向に沿った断面図である。
【図９】図８の状態からさらにプラグをソケットに挿入した状態を示す（ａ）軸線方向Ａに沿った断面図、（ｂ）半径方向に沿った断面図である。
【図１０】図９の状態からさらにプラグをソケットに挿入して挿入が完了した状態を示す（ａ）軸線方向Ａに沿った断面図、（ｂ）半径方向に沿った断面図である。
【図１１】図１０の状態からスリーブを移動して、ソケットからプラグが分離可能となった状態を示す断面図である。
【図１２】本発明の第２の実施形態の管継手に用いるスリーブのの断面図である。
【図１３】図１２のスリーブをソケット挿入側から見た正面図である。
【図１４】図１３のスリーブの内面を図３のＢ−Ｂ線で仮想的に展開した平面図である。
【図１５】本発明の第２の実施形態の管継手に関して、ソケットとプラグとの接続状態を示す、（ａ）軸線方向Ａに沿った断面図、（ｂ）半径方向に沿った断面図である。
【図１６】図１５の状態からさらにプラグをソケットに挿入した状態を示す（ａ）軸線方向Ａに沿った断面図、（ｂ）半径方向に沿った断面図である。
【図１７】図１６の状態からさらにプラグをソケットに挿入した状態を示す（ａ）軸線方向Ａに沿った断面図、（ｂ）半径方向に沿った断面図である。
【図１８】図１７の状態からさらにプラグをソケットに挿入して挿入が完了した状態を示す（ａ）軸線方向Ａに沿った断面図、（ｂ）半径方向に沿った断面図である。
【図１９】本発明の変形形態に係るソケットを示す、（ａ）側面図、（ｂ）半径方向に沿った断面図である。
【符号の説明】
【００９１】
１    管継手
１０    ソケット
１１    プラグ受入部
１２ａ  前ボール（操作子）
１２ｂ  後ボール（施錠子）
１３ａ  前ボール受入孔（操作子収容孔）
１３ｂ  後ボール受入孔（施錠子収容孔）
１５    捩りコイルスプリング（付勢手段）
１７    スリーブ止め部材
１７ａ  環状部
１７ｂ  直線部
１９    環状シール
３０    プラグ
３１    挿入部
３２    ボール押出部（押出部）
３３    プラグ溝
５０    スリーブ
５４    スリーブ突出部
５４ｃ  スリーブ施錠面（施錠面）
５７    前ボール収容溝（操作子収容溝）
５７ａ  前ボール収容溝傾斜面（操作子収容溝傾斜面）
５８    後ボール収容溝（施錠子収容溝）
５８ｑ  後ボール収容溝角部（施錠子収容溝角部）
５０’  スリーブ
５７’    前ボール収容溝（操作子収容溝）
５７’ａ  前ボール収容溝傾斜面（操作子収容溝傾斜面）
５８’    後ボール収容溝（施錠子収容溝）
５８’ｂ  後ボール収容溝壁部（施錠子収容溝壁部）
５８’ｑ  後ボール収容溝角部（施錠子収容溝角部）
Ｘ    時計方向（第１の回転方向）
Ｙ    反時計方向（第２の回転方向）
Ｚ１    前進方向（第２の方向）
Ｚ２    後退方向（第１の方向）
【図１】
0004787682.tif 000002
【図２】
0004787682.tif 000003
【図３】
0004787682.tif 000004
【図４】
0004787682.tif 000005
【図５】
0004787682.tif 000006
【図６】
0004787682.tif 000007
【図７】
0004787682.tif 000008
【図８】
0004787682.tif 000009
【図９】
0004787682.tif 000010
【図１０】
0004787682.tif 000011
【図１１】
0004787682.tif 000012
【図１２】
0004787682.tif 000013
【図１３】
0004787682.tif 000014
【図１４】
0004787682.tif 000015
【図１５】
0004787682.tif 000016
【図１６】
0004787682.tif 000017
【図１７】
0004787682.tif 000018
【図１８】
0004787682.tif 000019
【図１９】
0004787682.tif 000020